(57)【要約】【課題】光触媒酸化チタンを動物や人間の衣服の必要な部分に配することで、殺菌作用や悪臭除去、防汚作用のある衣服の提供。【解決手段】衣服の袖口、襟口、股部分、ポケット口、裾周りの少なくとも１つ以上の部分の裏面及び／又は光触媒酸化チタンを練りこんだ繊維を配し、もしくは衣服の全体構成繊維の素材配分を維持したまま、衣服の袖口、襟周り、股部分、ポケット口、裾周りの少なくとも１つ以上の部分において合成繊維に光触媒酸化チタンを混合し、もしくは動物用の衣服であって、衣服全体あるいは体と接する部分に光触媒酸化チタン配合の繊維を使用したことを特徴とする。【選択図】  図１
2004244733.tif 000002
【特許請求の範囲】
【請求項１】
衣服の袖口、襟周り、股部分、ポケット口、裾周りの少なくとも１つ以上の裏面及び／又は表面に光触媒酸化チタンを練りこんだ繊維を配したことを特徴とする汚れ付着防止衣服。
【請求項２】
衣服の全体構成繊維の素材配分を維持したまま、衣服の袖口、襟周り、股部分、ポケット口、裾周りの少なくとも１つ以上の部分において合成繊維に光触媒酸化チタンを混合したことを特徴とする汚れ付着防止衣服。
【請求項３】
動物用の衣服であって、衣服全体あるいは体と接する部分に光触媒酸化チタン配合の繊維を使用したことを特徴とする動物用衣服
【発明の詳細な説明】
【０００１】
【産業上の利用分野】
本発明は、光触媒酸化チタン配合の生地を使用した汚れ付着防止衣服に関するものである。
【０００２】
【従来の技術】
従来より、消臭等効果を呈する様々な繊維が開発され、悪臭を繊維構造物で取り除く取り組みが行われている。例えば、消臭剤とポリエステル系樹脂を主成分とする繊維原料を溶融紡糸する技術が見られる（特許文献１）。
【０００３】
【特許文献１】
特開平７−２１６７５１号公報
【０００４】
【発明が解決しようとする課題】
しかしながら、消臭剤を利用したものは、消臭剤が飽和に達するともはや消臭効果を示さないことから、本発明は、当該効果を永続させるため、光分解触媒機能を有する光触媒酸化チタンを配合した生地を衣服等に利用することにより、消臭効果のみならず、防汚等の効果も半永久的に得られる衣服を提供しようとするものである。詳しくは、当該生地を生地を上手く汚れ発生部分に使用して、汚れ付着防止衣服を提供するものであり、従来の衣服に自然に上記発明繊維を取り込む方法を提供するものである。
一般に人間または動物が体に纏う衣服はおもに体から分泌される汚れと、空気中などの外界により塵垢が付着する。しかもその汚れは、人間の場合はおもに上半身であれば、袖口、襟口に集中し、下半身であれば、股部分及び裾に集中する。さらに、ポケット部分等は上下共通で汚れる部分である。
また、動物であれば、人間に比べ体から発散される体液等の分泌物や体臭が強いため、体が触れる部分には光触媒酸化チタン配合の繊維を使用した方が良いであろう。あるいは、服の全体を配合繊維で構成することも考えられる。
【０００５】
【課題を解決するための手段】
上記課題を解決するために請求項１記載の汚れ付着防止衣服は、衣服の袖口、襟周り、股部分、ポケット口、裾周りの少なくとも１つ以上の裏面及び／又は表面に光触媒酸化チタンを練りこんだ繊維を配したことを要旨とする。
【０００６】
また、請求項２記載の汚れ付着防止衣服は衣服の全体構成繊維の素材配分を維持したまま、衣服の袖口、襟周り、股部分、ポケット口、裾周りの少なくとも１つ以上の部分において合成繊維に光触媒酸化チタンを混合したことを要旨とする。
【０００７】
また、請求項３記載の動物用の衣服は、衣服全体あるいは体と接する部分に光触媒酸化チタン配合の繊維を使用したことを要旨とする。
【０００８】
【発明の実施の形態】
本発明における酸化チタンは光触媒酸化チタンを用いる。光触媒酸化チタンは電気的性質において半導体としての性質を持っている。二酸化チタンに光（特に３８０ｎｍ前後の近紫外線）が当たると、そのエネルギー（光子）を受けて空気中の酸素と水分に作用し、活性酸素と呼ばれる物質を生成する。この活性酸素は強い酸化力があり、光触媒酸化チタンの表面に付着したいろいろな有機化合物、すなわち悪臭や汚れの原因物質を酸化分解し、細菌も殺す効果がある。ちなみに他の酸化剤であるオゾンや過酸化水素、過酸化水素ラジカル、次亜塩素酸、塩素等と比べて２倍の酸化力がある。
【０００９】
光触媒酸化チタンは、通常の条件では酸にもアルカリにも溶けず、化学的・物理的にも安定で無害である。さらに、光―化学反応においても、光触媒酸化チタンそのものは変化せず、永久にその機能を発揮することが可能となる。
活性酸素は光触媒酸化チタンの表面のみに存在し、空気中には放出されない。また、光触媒酸化チタンを含む材料の表面に触れるなどしても全く害はない。
【００１０】
本発明で使用する光触媒酸化チタンは、粉末の光触媒酸化チタンの表面に薄いアパタイト（多孔質リン酸カルシウム）を被覆する方法を用いてなる。かかる方法により、従来、光触媒酸化チタンが、光―化学反応により有機物質を酸化分解し、プラスチックへの練りこみができなかったという欠点を克服し、優れた光触媒機能を保ちながら、バインダー・樹脂等に分散させても、媒体を破壊しないという機能を有することとなった。
【００１１】
衣服への応用パターンとしては、汚れの強い袖口、襟口、裾、股部等に光触媒酸化チタンを含有した繊維を用いる方法や、天然繊維との混紡であれば、合成繊維含有分について、特に汚れの強い部分にさらに光触媒酸化チタンを混紡させるなどの方法が考えられる。別生地で汚れの強い部分に縫い合わせる場合は、裏側にのみ光触媒酸化チタン混紡の生地を使用しても良いし、その部分の表裏を一体的に光触媒酸化チタン混紡生地を使用しても良い。
【００１２】
【実施例】
以下本発明の実施例を図１から図３を参照して説明する。
［実施例１］
本発明は、図１に示すように汚れの強い袖口（２）、襟周り（１）、裾周り（４）、股部（３）、ポケット口（５）等に光触媒酸化チタンを混紡した生地を使用したものである。
このような部分に光触媒酸化チタンの混紡された生地を使用すると、光触媒酸化チタンの下記のような性質により各種の作用を発揮する。
１）水や空気の浄化効果により、汚れた空気等も浄化されるので、襟首や袖口の汚れはぐっと少なくなる。
２）防汚効果（酸化分解によって、油汚れ等にも効果がある。）により、袖口、襟回り、裾周り等において、汚れの付着そのものを防止する。
３）抗菌防カビ効果（酸化分解による）があるため、汚れに付着後の細菌の繁殖を防止でき、汚れの悪化や広がりを防止できることとなる。
４）有害物質（悪臭等）を分解するため、付着した汚れが分解される。そして、紫外線が当たっている限り酸化分解を続けるので強力な悪臭でも、いつかは０にすることが可能となる。
５）帯電防止効果（埃よけ）があるため、衣服の汚れ具合が極端に小さくなる。
【００１３】
図２には光触媒酸化チタン製品と活性炭・キトサン等製品についての汚れの減衰率を示した図である。この図から明らかなように、活性炭やキトサンはある程度までしか汚れが除去できないのに対して、光触媒酸化チタンであれば、時間をかければ０にまですることが可能となる。
なお、袖口等の生地の配し方は、表裏とも用いても良いし、裏面、すなわち肌に接する部分にのみ配しても良いことはもちろんである。
カッターシャツで実験したところ光触媒酸化チタン混紡の生地を使用しないカッターシャツにおいては、毎日汚れて取りかえる必要があったが、本発明のカッターシャツであれば、３日着用しても、ほとんど汚れが目立たない状態で、汗臭さも発生せず、２−３日の出張であれば、着替えを持参する必要がなくなった。
【００１４】
［実施例２］
本発明は実施例１の事例において、本体の生地と違和感無く光触媒酸化チタン混紡の生地を使用した場合の一例を示す。
今カッターシャツの生地がポリエステル５０％と綿５０％の混紡であったとする。このような場合、袖口や襟首も綿が５０％入った混紡の方が着心地が同一で好ましい。したがってこの場合は、例えばポリエステル５０％を変更して、ポリエステル３５％と光触媒酸化チタン繊維１５％とし、全体としては、ポリエステル３５％と光触媒酸化チタン繊維１５％、綿５０％の繊維で汚れの強い部分に使用する。
このような衣服であれば、光触媒酸化チタン繊維を使用している部分と使用していない部分との使用感の違いがおきにくく、着用者にとり着用感の異ならない好ましい衣服となる。
【００１５】
［実施例３］
本発明は動物の衣服に、光触媒酸化チタン繊維を用いた場合の実施例
である。特に動物の場合は人間に比べ体臭や体液が多く、悪臭も強いため、動物の体に触れる部分には光触媒酸化チタンを含んだ繊維を配するようにした。図３の胴巻きでは内側部分（６）が本発明の光触媒酸化チタン繊維で構成している。このような胴巻きを使用すると、ペット特有のにおいが無くなり買主が快適に暮らせると共に、ペット自身にもダニ等の発生を防止する結果、皮膚のかゆみ等も起こらず、快適に過ごせるものである。
【００１６】
【発明の効果】
以上説明したように、本発明に用いる光触媒酸化チタンは種々の酸化分解作用や、浄化作用、防汚作用等を有するため、汚れの付着防止や悪臭の分解、殺菌効果、帯電防止ひいては、埃の付着防止等、衣服の汚れに対してマイナス、分解方向の効果を多数有しており、衣服の特に汚れの強い部分に使用することでこれらの効果が倍増するため、単に繊維に織り込んで衣服を仕上げる場合に比較して顕著な効果が見られる。
また、動物の衣服に、光触媒酸化チタン繊維を用いた場合には、さらに顕著な効果が認められ、よりペットを買いやすい環境を提供することになる。
【図面の簡単な説明】
【図１】本発明の一実施例を示す概略説明図
【図２】光触媒酸化チタン製品と活性炭・キトサン等製品についての汚れの減衰率を示した図
【図３】動物の衣服に、光触媒酸化チタン繊維を用いた場合の概略説明図
【符号の説明】
１  襟周り
２  袖口
３  股部分
４  裾周り
５  ポケット口
６  胴巻き
【図１】
2004244733.tif 000003
【図２】
2004244733.tif 000004
【図３】
2004244733.tif 000005